(57)【要約】【課題】熱回収運転をして熱回収を行った後も風呂熱回収用熱交換器２２内に水が留まった状態になる。風呂熱回収用熱交換器２２内に水が留まった状態で貯湯タンク１内の水を加熱する沸き上げ運転を行うと、給湯や追い焚き運転に使用できない風呂熱回収用熱交換器２２内の水まで沸き上げて、その後給湯が行われて貯湯タンク１下部が低温の水となると、風呂熱回収用熱交換器２２から貯湯タンク１下部の低温水へ放熱されることになり、無駄な沸き上げをしており、無駄なエネルギーを消費しているという問題があった。【解決手段】風呂熱回収熱交換器２２内の残水を排水して空気に置換する排水手段を設けた。【選択図】図１
2019200024.tif 000002
【特許請求の範囲】
【請求項１】
加熱手段で加熱された湯水を貯湯する貯湯タンクと、
前記貯湯タンク内の下部の湯水と浴槽の残湯熱を熱交換する風呂熱回収用熱交換器と、
前記風呂熱回収用熱交換器と浴槽とを連通し、浴槽水を浴槽から前記風呂熱回収用熱交換器へ送る風呂往き管と前記風呂熱回収用熱交換器から浴槽へと送る風呂戻り管とから成る風呂循環回路と、
前記風呂循環回路に備えられ浴槽の浴水を前記風呂熱回収用熱交換器に循環させる風呂循環ポンプと、
前記風呂熱回収用熱交換器をバイパスする回収バイパス路と、
前記風呂循環回路で前記回収バイパス路を循環させるか前記風呂熱回収用熱交換器を循環させるかを切替る回収三方弁と
を備えた貯湯式給湯機に於いて、
前記風呂熱回収熱交換器内の残水を排水して空気に置換する排水手段を設けたことを特徴とする貯湯式給湯機。
【請求項２】
前記排水手段は、前記風呂戻り管側に設けられた前記風呂循環ポンプと、浴槽水が空のときに前記回収三方弁を前記風呂熱回収用熱交換器側に切り替えて、前記風呂循環ポンプを駆動する排水制御部とで構成したことを特徴とする請求項１記載の貯湯式給湯機。
【請求項３】
前記排水手段は、前記風呂戻り管側に設けられた前記風呂循環ポンプと、前記風呂循環回路途中の前記風呂熱回収用熱交換器よりも上流側に設けられた前記風呂熱回収用熱交換器を大気開放する吸気弁と、該吸気弁の接続位置よりも上流側に設けられた前記風呂循環回路を閉止する閉止弁と、前記回収三方弁を前記風呂熱回収用熱交換器側に切り替えて前記吸気弁を開き、前記閉止弁を閉じ、前記風呂循環ポンプを駆動する排水制御部とで構成したことを特徴とする請求項１記載の貯湯式給湯機。
【請求項４】
前記排水手段は、前記風呂循環回路途中の前記風呂熱回収用熱交換器よりも上流側に設けられた前記風呂熱回収用熱交換器を大気開放する吸気弁と、該吸気弁の接続位置よりも上流側に設けられた前記風呂循環回路を閉止する閉止弁と、前記風呂熱回収用熱交換器よりも下流側に設けられた排水弁と、前記回収三方弁を前記風呂熱回収用熱交換器側に切り替えて、前記吸気弁を開き、前記閉止弁を閉じ、前記排水弁を開く排水制御部とで構成したことを特徴とする請求項１記載の貯湯式給湯機。
【請求項５】
前記排水手段は、前記風呂戻り管側に設けられた前記風呂循環ポンプと、前記風呂熱回収用熱交換器よりも下流側に設けられた排水弁と、前記風呂往き管途中に設けられた浴槽水の水位を検出する水位センサと、前記回収三方弁を前記風呂熱回収用熱交換器側に切り替えて、前記風呂循環ポンプを駆動し、前記水位センサで浴槽水を検出できなくなった後も所定時間排水を続けてから前記風呂循環ポンプを停止させる排水制御部とで構成したことを特徴とする請求項１記載の貯湯式給湯機。
【請求項６】
前記貯湯タンク上部の湯水と浴槽水を熱交換して加熱させる風呂熱交換器と、前記風呂熱交換器をバイパスする風呂バイパス路と、前記風呂循環回路で前記風呂バイパス路を循環させるか前記風呂熱交換器を循環させるかを切り替えるようにしたことを特徴とする請求項２〜５のいずれか１項記載の貯湯式給湯機。
【発明の詳細な説明】
【技術分野】
【０００１】
この発明は、貯湯タンク内に貯湯された湯水に風呂の残湯熱を回収させて、経済性の向上を図った残湯熱回収機能付き貯湯式給湯機に関するものである。
【背景技術】
【０００２】
従来よりこの種のものでは、風呂の追い焚き運転を行うために貯湯タンクの上部に備えた追焚用熱交換器とは別に、風呂の残湯熱を回収するための風呂熱回収用熱交換器を貯湯タンクの下部に備え、この風呂熱回収用熱交換器に風呂の残湯を循環させる循環回路と、貯湯タンク下部の低温水を循環させる回路とが接続され、貯湯タンク内の湯水の加熱に利用するものであった。（例えば、特許文献１参照。）
【先行技術文献】
【特許文献】
【０００３】
【特許文献１】特開２０１１−１２２７６０号公報
【発明の概要】
【発明が解決しようとする課題】
【０００４】
しかし、この従来のものでは、熱回収運転をして熱回収を行った後も風呂熱回収用熱交換器内に水が留まった状態になる。風呂熱回収用熱交換器内に水が留まった状態で貯湯タンク内の水を加熱する沸き上げ運転を行うと、給湯や追い焚き運転に使用できない風呂熱回収用熱交換器内の水まで沸き上げて、その後給湯が行われて貯湯タンク下部が低温の水となると、風呂熱回収用熱交換器から貯湯タンク下部の低温水へ放熱されることになり、無駄な沸き上げをしており、無駄なエネルギーを消費しているという問題があった。
【課題を解決するための手段】
【０００５】
本発明は上記課題を解決するため、加熱手段で加熱された湯水を貯湯する貯湯タンクと、前記貯湯タンク内の下部の湯水と浴槽の残湯熱を熱交換する風呂熱回収用熱交換器と、前記風呂熱回収用熱交換器と浴槽とを連通し、浴槽水を浴槽から前記風呂熱回収用熱交換器へ送る風呂往き管と前記風呂熱回収用熱交換器から浴槽へと送る風呂戻り管とから成る風呂循環回路と、前記風呂循環回路に備えられ浴槽の浴水を前記風呂熱回収用熱交換器に循環させる風呂循環ポンプと、前記風呂熱回収用熱交換器をバイパスする回収バイパス路と、前記風呂循環回路で前記回収バイパス路を循環させるか前記風呂熱回収用熱交換器を循環させるかを切替る回収三方弁とを備えた貯湯式給湯機に於いて、前記風呂熱回収熱交換器内の残水を排水して空気に置換する排水手段を設けた。
【０００６】
また、前記排水手段は、前記風呂戻り管側に設けられた前記風呂循環ポンプと、浴槽水が空のときに前記回収三方弁を前記風呂熱回収用熱交換器側に切り替えて、前記風呂循環ポンプを駆動する排水制御部とで構成した。
【０００７】
また、前記排水手段は、前記風呂戻り管側に設けられた前記風呂循環ポンプと、前記風呂循環回路途中の前記風呂熱回収用熱交換器よりも上流側に設けられた前記風呂熱回収用熱交換器を大気開放する吸気弁と、該吸気弁の接続位置よりも上流側に設けられた前記風呂循環回路を閉止する閉止弁と、前記回収三方弁を前記風呂熱回収用熱交換器側に切り替えて前記吸気弁を開き、前記閉止弁を閉じ、前記風呂循環ポンプを駆動する排水制御部とで構成した。
【０００８】
また、前記排水手段は、前記風呂循環回路途中の前記風呂熱回収用熱交換器よりも上流側に設けられた前記風呂熱回収用熱交換器を大気開放する吸気弁と、該吸気弁の接続位置よりも上流側に設けられた前記風呂循環回路を閉止する閉止弁と、前記風呂熱回収用熱交換器よりも下流側に設けられた排水弁と、前記回収三方弁を前記風呂熱回収用熱交換器側に切り替えて、前記吸気弁を開き、前記閉止弁を閉じ、前記排水弁を開く排水制御部とで構成した。
【０００９】
また、前記排水手段は、前記風呂戻り管側に設けられた前記風呂循環ポンプと、前記風呂熱回収用熱交換器よりも下流側に設けられた排水弁と、前記風呂往き管途中に設けられた浴槽水の水位を検出する水位センサと、前記回収三方弁を前記風呂熱回収用熱交換器側に切り替えて、前記風呂循環ポンプを駆動し、前記水位センサで浴槽水を検出できなくなった後も所定時間排水を続けてから前記風呂循環ポンプを停止させる排水制御部とで構成した。
【００１０】
また、前記貯湯タンク上部の湯水と浴槽水を熱交換して加熱させる風呂熱交換器と、前記風呂熱交換器をバイパスする風呂バイパス路と、前記風呂循環回路で前記風呂バイパス路を循環させるか前記風呂熱交換器を循環させるかを切り替えるようにした。
【発明の効果】
【００１１】
この発明によれば、風呂熱回収用熱交換器内の残水を排水して、風呂熱回収用熱交換器内を空気に置換することで、沸き上げ運転時には、給湯や追い焚き運転に使用できない風呂熱回収用熱交換器内の水を沸き上げなくても良く、省エネルギー性に優れ、沸き上げる量も減るので沸き上げ効率にも優れた貯湯式給湯機を提供することができる。
【図面の簡単な説明】
【００１２】
【図１】この発明の第１の実施形態を示す貯湯式給湯機の概略構成図
【図２】この発明の第１の実施形態の排水運転の制御を表すフローチャート図
【図３】この発明の第２の実施形態を示す貯湯式給湯機の概略構成図
【図４】この発明の第２の実施形態の排水運転の制御を表すフローチャート図
【図５】この発明の第３の実施形態を示す貯湯式給湯機の概略構成図
【図６】この発明の第３の実施形態の排水運転の制御を表すフローチャート図
【図７】この発明の第４の実施形態を示す貯湯式給湯機の概略構成図
【図８】この発明の第４の実施形態の排水運転の制御を表すフローチャート図
【発明を実施するための形態】
【００１３】
次にこの発明の第１の実施形態を付した残湯熱回収機能付き貯湯式給湯機について図面に基づいて説明する。
この給湯機は、時間帯別契約電力の電力単価が安価な深夜時間帯に湯水を沸き上げて貯湯し、この貯湯した湯水を給湯に用いるもので、１は湯水を貯湯する貯湯タンク、２は貯湯タンク内の湯水を加熱する加熱手段としてのヒートポンプユニット、３はこの給湯装置を遠隔操作するように台所に設置されたリモコン、４は浴槽、５は浴槽４設けられた排水口である。
【００１４】
６はヒートポンプユニット２にヒーポン循環ポンプ（図示せず）の駆動で貯湯タンク１下部の給水を供給するヒーポン往き管で、ヒートポンプユニット２で加熱されて温度上昇した湯水はヒーポン戻し管７により貯湯タンク１の上部に供給され、順次これを繰り返して貯湯タンク１内の上部から高温水を貯湯して行くものである。
【００１５】
８は貯湯タンク１底部に接続された給水管で、貯湯タンク１上部には出湯管９が接続され、出湯管９の高温水と給水とを混合して、給湯温度センサ１０で検出する温度が給湯設定温度になるように混合する給湯混合弁１１を備え、混合された温水を給湯管１２から給湯栓１３へ供給し給湯を行う。
【００１６】
１４は浴槽４の湯水を加熱するためのステンレス製の蛇管よりなる風呂用熱交換器で、貯湯タンク１内の上部に配置されていると共に、この風呂用熱交換器１４には風呂往き管１５および自吸式の風呂循環ポンプ１６を備えた風呂戻り管１７よりなる風呂循環回路１８が接続されて、浴槽４の湯水が循環可能にされ、浴槽４内の湯水を風呂用熱交換器１４に循環させて貯湯タンク１内の高温水と熱交換により加熱し、風呂往き管１５に備えた風呂温度センサ１９が風呂設定温度を検知して循環を停止することで、追い焚きが終了するものである。
【００１７】
この前記追い焚き運転時の浴槽水の順路は、浴槽４から風呂往き管１５を通り、風呂用熱交換器１４で浴槽水を貯湯タンク１の熱で加熱し、風呂戻り管１７を通って浴槽４に戻るというものである。
【００１８】
２０は風呂循環回路１８中で風呂用熱交換器１４をバイパスする風呂バイパス路、２１は風呂用熱交換器１４を連通して風呂バイパス路２０を閉止するか、風呂用熱交換器１４を閉止して風呂バイパス路２０側を連通するかを切り替える風呂三方弁で、風呂の追い焚き開始直後に風呂用熱交換器１４から供給される高温水に、風呂三方弁２１の切り替えにより風呂バスパス路２０を介して風呂の循環水を混合して温度を低下させるものである。
【００１９】
２２は浴槽４の湯水を回収するためのステンレス製の蛇管よりなる風呂熱回収用熱交換器で、貯湯タンク１内の下部に配置されていると共に、この風呂熱回収用熱交換器２２は風呂循環回路１８に接続され浴槽４の湯水が循環可能になっている。浴槽４内の湯水を風呂熱回収用熱交換器２２に循環させて貯湯タンク１下部内の水と浴槽の残水を熱交換して浴槽の残湯熱を回収するものである。
【００２０】
２３は風呂循環回路１８中で風呂熱回収用熱交換器２２をバイパスする回収バイパス路、２４は風呂熱回収用熱交換器２２を連通して回収バイパス路２３を閉止するか、風呂熱回収用熱交換器２２を閉止して回収バイパス路２３側を連通するかを切り替える回収三方弁である。
【００２１】
また、２５は風呂用熱交換器１４の出口と風呂熱回収用熱交換器２３の入り口とを連結している熱交換器連結管である。
【００２２】
残湯熱回収時には風呂循環ポンプ１６を駆動し、風呂三方弁２１を風呂バイパス路２３側に切り替えると共に、回収三方弁２４を風呂熱回収用熱交換器２２側とすることで、浴槽水が風呂熱回収用熱交換器２２を循環して残熱を貯湯タンク１内の低温水と熱交換して、貯湯させるようにするものである。
【００２３】
このように、風呂用熱交換器１５内及び風呂熱回収用熱交換器２２内の残水を汲みあげて浴槽４に押し出すので、風呂循環ポンプ１６は風呂戻り管１７側に配置されている。
【００２４】
また、出湯管９の高温水と給水とを混合し、湯張り温度センサ２６で検出した湯張り温度が風呂設定温度と等しくなるように混ぜ合わせる湯張り混合弁２７を備え、混合された温水を湯張り管２６から湯張りする。
【００２５】
湯張り混合弁２７後の湯張り管２８から分岐され風呂循環回路１８に連通する湯張り回路で、電動弁２９の開成で風呂設定温度の給湯を浴槽４に湯張りし、風呂往き管１５に備えた水位センサ３０で所定水位を検知することで、電動弁２９を閉止して湯張りを終了するものである。
【００２６】
３１はマイコンから成り、リモコン３と通信可能に接続された制御装置で、貯湯タンク１内の湯水の加熱制御や、貯湯タンク１内の湯水の給湯制御、風呂の湯張りや追い焚き、風呂配管洗浄運転、残湯熱回収運転の制御も行うものであり、又この制御装置３１は、リモコン３に設けられた湯張りスイッチ３２や追い焚きスイッチ３３、風呂配管洗浄スイッチ３４、残湯熱回収スイッチ３５の操作に応じて各運転の動作を開始する。
【００２７】
また、３６は制御装置３１に設けられた排水制御部であり、この排水制御部３６はリモコン３に設けられた排水運転スイッチ３７の操作に応じて排水運転を開始し、風呂熱回収用熱交換器２２内の残水を排水して空気に置換する排水運転を実行する。この排水制御部３６は後述する排水手段を構成している。
【００２８】
３８は貯湯タンク１下部で風呂熱回収用熱交換器２２と対向する位置に設けられた貯湯温度センサで、残湯熱回収運転前と残湯熱回収運転中に、浴槽４内の残湯を循環させて風呂温度センサ１９で残湯温度を検知し、この温度と貯湯温度センサ３８の検知温度との間に、所定の熱交換可能な温度差があるかを判断し、温度差がない時には残湯熱回収運転を行わず、又途中でなくなった時には、残湯熱回収運転を終了するようにしたものである。
【００２９】
次にこの貯湯式給湯機の動作について説明する。
＜沸き上げ運転＞
電力料金単価の安価な所定時間帯（深夜時間帯）の開始時刻になると、制御装置３１はそれまでの給湯負荷量に見合う湯量を沸き上げ開始するべく、ヒートポンプユニット２に対し、給湯負荷量に見合った沸き上げ目標温度と沸き上げ開始の指示を送信し、ヒートポンプユニット２は循環ポンプを駆動開始して、貯湯タンク１下部から取り出した湯水を沸き上げ目標温度まで加熱して貯湯タンク１上部へ戻し、貯湯タンク１上部から沸き上げ設定温度の湯を積層状に貯湯し、制御装置３１は貯湯タンク１の最下部まで沸き上げるか、所定時間帯の終了時刻に到達するとヒートポンプユニット２に沸き上げの停止を指示し、ヒートポンプユニット２は循環ポンプを駆動停止して沸き上げ運転を終了する。
【００３０】
＜給湯＞
給湯栓１３が開かれると、貯湯タンク１の底部に給水管７から水が流入すると共に貯湯タンク１の頂部から出湯管９を介して高温の湯が出湯し、給湯混合弁１１で給水管８からの水と混合されて給湯管１１を通過する。そして、制御装置３１は、給湯温度センサ１０が検出する温度がリモコン３で予め設定された給湯設定温度と一致するように給湯混合弁１１の弁開度をフィードバック制御して、給湯設定温度の給湯を行う。そして、給湯栓１３が閉じられる等によって、制御装置３１は、給湯混合弁１１の弁開度のフィードバック制御を停止して給湯停止するようにしている。
【００３１】
＜湯張り運転＞
リモコン３の湯張りスイッチ３２が操作されて湯張り運転の開始が指示されると、制御装置３１は、電動弁２９を開弁し、湯張り温度センサ２６が検出する温度が、リモコン３で設定された湯張り温度と一致するように湯張り混合弁２７の弁開度をフィードバック制御して、設定された湯張り温度の湯張りを開始し、浴槽４に供給する。
【００３２】
そして、制御装置３１は、水位センサ３０が風呂設定水位を検出すると、電動弁２９を閉弁して湯張り運転を終了する
【００３３】
＜追い焚き運転＞
リモコン３の追い焚きスイッチ３３が操作されて追い焚き運転の開始が指示されると、制御装置３１は、水位センサ３０で水位を検出して浴槽４内に残湯があることを検知すると、風呂循環ポンプ１６を駆動して、風呂循環回路１８と風呂用熱交換器１４に浴槽水を循環させ、浴槽水を風呂用熱交換器１４で加熱する。そして、風呂温度センサ１９で浴槽水の温度が風呂設定温度まで上昇したことを確認すると、風呂循環ポンプ１６の駆動を停止する。
【００３４】
＜風呂配管洗浄運転＞
リモコン３の風呂配管洗浄スイッチ３４が操作されて風呂配管洗浄運転の開始が指示されると、制御装置３１は風呂三方弁２１を風呂バイパス路２０側に切り替え、電動弁２９を開放して新しい湯水を湯張り管２６から給湯し、風呂循環回路１８内の残水を排水させた後、風呂三方弁２１を風呂用熱交換器１４側に切り替えて風呂用熱交換器１４内の残水を排水させ、一定量の給湯を湯張り管２６から行うと、風呂三方弁２１を風呂バイパス路２０側に戻し、電動弁２７を閉じることで風呂配管洗浄運転を終了する。
【００３５】
＜残湯熱回収運転＞
次に残湯熱回収運転について説明する。
リモコン３の残湯熱回収スイッチ３５が操作されて残湯熱回収運転の開始が指示されると、制御装置３１は、風呂循環ポンプ１６を駆動せると共に、風呂三方弁２１を風呂バイパス路２０側の連通状態に切り替え、回収三方弁２４を風呂熱回収用熱交換器２２側の連通状態とすることで、浴槽水が風呂熱回収用熱交換器２２を循環して浴槽水の残熱を貯湯タンク１内の低温水と熱交換して、貯湯タンクに貯湯するものである。
【００３６】
更に残湯熱回収運転中に、所定間隔で貯湯温度センサ３８による貯湯温度と、風呂温度センサ１９による残湯温度との温度差が、熱交換可能な所定温度差があるかを制御装置３１が判断し、所定の温度差がなくなった時に残湯熱回収運転を終了させるものであり、又貯湯温度センサ３８が所定温度を検知した時に残湯熱回収運転を終了させるようにしても良いものである。
【００３７】
＜排水運転＞
第１の実施形態の排水手段は、風呂戻り管１７側に設けられた風呂循環ポンプ１６と、浴槽水が空のときに回収三方弁２４を風呂熱回収用熱交換器２２側に切り替えて風呂循環ポンプ１６を駆動する排水制御部３６とで構成されている。
【００３８】
次に第１の実施形態の残湯熱回収後の排水運転の作動を図２のフローチャートに基づいて説明する。
リモコン３の排水運転スイッチ３７が操作されると、排水制御部３６は、浴槽に残湯が有るか無いかを水位センサ３０で確認し（Ｓ１）、浴槽に水が有る場合は（Ｓ１がＮｏ）、排水運転を行えない旨をリモコン３からスピーカー等で報知する（Ｓ２）。また、浴槽に残湯が無い場合は（Ｓ２がＹｅｓ）、回収三方弁２４を熱交換器側に開、回収バイパス路２３側を閉とし（Ｓ３）、さらに、風呂三方弁２１を風呂用熱交換器１４側に閉、風呂バイパス路２０側を開にし（Ｓ４）、風呂循環ポンプ１６を駆動することで（Ｓ５）、風呂熱回収用熱交換器２２内の水を浴槽４に排水する。
【００３９】
そして、排水制御部３６は、風呂循環ポンプ１６を駆動してから所定時間（ここでは１０分）が経過したら（Ｓ６がＹｅｓ）、風呂循環ポンプ１６の駆動を停止し（Ｓ７）、回収三方弁２４を熱交換器側に閉、回収バイパス路２３側を開に戻し（Ｓ８）、風呂熱回収用熱交換器２２の排水運転を終了する（Ｓ９）。
【００４０】
このように、排水運転時、風呂三方弁２１は風呂熱用熱交換器１４側を閉止しているため、風呂循環ポンプ１６を駆動させて循環させても風呂熱用熱交換器１４内の水は動かず排水もされず、風呂熱回収用熱交換器２２のみの排水をすることで、前記排水運転により風呂循環ポンプ１６の駆動で風呂熱回収用熱交換器２２内の水を浴槽４から吸気した空気に置換することができる。
【００４１】
また、風呂熱回収用熱交換器２２内を空気に置換することで、貯湯タンク１を沸き上げるときに、給湯や追い焚き運転に使用できない風呂熱回収用熱交換器２２内の水を沸き上げなくても良く、省エネルギー性に優れ、沸き上げる量も減るので沸き上げ効率にも優れた貯湯式給湯機を提供することができる。
【００４２】
また、風呂循環ポンプ１６は風呂戻り管１７に設けられており、風呂熱回収用熱交換器２２は風呂循環ポンプ１６よりも上流側にあるため、容易に風呂熱回収用熱交換器２２内の水を汲み上げて浴槽４に押し出すことができる。
【００４３】
また、風呂用熱交換器１４も排水運転をすることが可能ではあるが、風呂用熱交換器１４内に高い温度の湯を残しておくことで、追い焚き運転を行うときに高温に加熱されたまま風呂用熱交換器１４内に溜まった湯を使用することができるので追い焚き運転の時間を短くすることができ、効率の良い追い焚き運転をすることができる。
【００４４】
次に、排水手段の第２の実施形態を図３に基づいて説明する。また、図１と同じ番号で表したものは図３でも同様に扱う。
第２の実施形態の排水手段は、風呂戻り管１７側に設けられた風呂循環ポンプ１６と、風呂循環回路１８途中の風呂熱回収用熱交換器２２よりも上流側に設けられた風呂熱回収用熱交換器２２を大気開放する吸気弁の機能及び該吸気弁よりも上流側に設けられた風呂循環回路１８を閉止する閉止弁の機能を備えた吸気三方弁３９と、回収三方弁２４を風呂熱回収用熱交換器２２側に切り替えて吸気側を開き、風呂循環回路１８側を閉止して、風呂循環ポンプ１６を駆動する排水制御部３６で構成されている。
【００４５】
ここで、風呂循環回路１８の熱交換器連結管２５に吸気用三方弁３９を設けた第２の実施形態について図４のフローチャートに基づいて説明する。
【００４６】
排水制御部３６は、風呂熱回収用熱交換器２２の排水運転を開始するときは、回収三方弁２４を熱交換器側に開、回収バイパス路２３側を閉とし（Ｓ１０）、さらに、吸気三方弁３９を吸気側に開、風呂用熱交換器１４側に閉にし（Ｓ１１）、風呂循環ポンプ１６を駆動することで（Ｓ１２）、風呂熱回収用熱交換器２２内の水を浴槽４に排水する。
【００４７】
そして、排水制御部３６は、風呂循環ポンプ１６を駆動してから所定時間（ここでは１０分）が経過したら（Ｓ１３がＹｅｓ）、風呂循環ポンプ１６の駆動を停止し（Ｓ１４）、回収三方弁２４を熱交換器側に閉、回収バイパス路２３側を開とし（Ｓ１５）、さらに、吸気三方弁３９を吸気側に閉、風呂用熱交換器１４側に開にし（Ｓ１６）、風呂熱回収用熱交換器２２の排水運転を終了する（Ｓ１７）。
【００４８】
このように、吸気三方弁３９を設けたことで、前記排水運転により風呂循環ポンプ１６の駆動で風呂熱回収用熱交換器２２内の水を吸気三方弁３９により吸気した空気に置換することができると共に、浴槽４に水があるときでも浴槽４の風呂往き管１６から空気を吸気する代わりに吸気三方弁３９から吸気を行うことができるため、浴槽４に水が無いときにしか排水運転が行えないという煩わしさをなくすことができる。
【００４９】
次に、排水手段の第３の実施形態を図５に基づいて説明する。また、図３と同じ番号で表したものは図５でも同様に扱う。
第３の実施形態の排水手段は、風呂循環回路１８途中の風呂熱回収用熱交換器２２よりも上流側に設けられた風呂熱回収用熱交換器２２を大気開放する吸気弁の機能及び該吸気弁よりも上流側に設けられた風呂循環回路１８を閉止する閉止弁の機能を備えた吸気三方弁３９と、風呂熱回収用熱交換器２２よりも下流側に設けられた排水弁４０と、回収三方弁２４を風呂熱回収用熱交換器２２側に切り替えて、吸気側を開き、風呂循環回路１８側を閉止して、排水弁４０を開く排水制御部３６とで構成している。
【００５０】
ここで、風呂循環回路１８の熱交換器連結管２５に吸気三方弁３９を設け、風呂循環回路１８途中の風呂熱回収用熱交換器２２よりも下流側に排水弁４０を設けた第３の実施形態について図６のフローチャートに基づいて説明する。
【００５１】
排水制御部３６は、風呂熱回収用熱交換器２２の排水運転を開始するときは、回収三方弁２４を熱交換器側に開、回収バイパス路２３側を閉とし（Ｓ１８）、さらに、吸気三方弁３９を吸気側に開、風呂用熱交換器１４側に閉にし（Ｓ１９）、排水弁４０を開にすることで（Ｓ２０）、風呂熱回収用熱交換器２２内の水を排水弁４０から排水する。
【００５２】
そして、排水制御部３６は、風呂循環ポンプ１６を駆動してから所定時間（ここでは１０分）が経過したら（Ｓ２１がＹｅｓ）、排水弁４０を閉にし（Ｓ２２）吸気三方弁３９を吸気側に閉、風呂用熱交換器１４側に開にし（Ｓ２３）、回収三方弁２４を熱交換器側に閉、回収バイパス路２３側を開とし（Ｓ２４）、風呂熱回収用熱交換器２２の排水運転を終了する（Ｓ２５）。
【００５３】
このように、吸気三方弁３９と排水弁４０を設けたことで、排水運転により風呂循環ポンプ１６の駆動で風呂熱回収用熱交換器２２内の水を吸気三方弁３９により吸気した空気に置換することができると共に、浴槽４に水があるときでも浴槽４の風呂往き管１５から空気を吸気する代わりに吸気三方弁３９から吸気を行うことができるため、浴槽４に水が無いときにしか排水運転が行えないという煩わしさをなくすことができるとともに、排水弁４０から風呂熱回収用熱交換器２２内の残水を排水することができるため、浴槽４の水位の変化などをさせないで、任意のタイミングで排水弁４０を開にして、風呂熱回収用熱交換器２２内の残水を抜くことができる。
【００５４】
次に、排水手段の第４の実施形態を図７に基づいて説明する。また、図５と同じ番号で表したものは図７でも同様に扱う。
第４の実施形態の排水手段は、風呂戻り管１７側に設けられた風呂循環ポンプ１６と、風呂熱回収用熱交換器２２よりも下流側に設けられた排水弁４０と、浴槽の水位を検出する水位センサ３０と、回収三方弁２４を風呂熱回収用熱交換器２２側に切り替えて、水位センサ３０で浴槽水を検出できなくなった後、所定時間排水を続ける排水制御部３６とで構成した。
【００５５】
ここで、風呂循環回路１８途中の風呂熱回収用熱交換器２２よりも下流側に排水弁４０を設けた第４の実施形態について図８のフローチャートに基づいて説明する。
【００５６】
排水制御部３６は、風呂熱回収用熱交換器２２の排水運転を開始するときは、回収三方弁２４を熱交換器側に開、回収バイパス路２３側を閉とし（Ｓ２６）、排水弁４０を開にし（Ｓ２７）、風呂循環ポンプ１６を駆動して（Ｓ２８）、風呂熱回収用熱交換器２２内の水及び浴槽４の循環口から吸い上げた浴槽水を排水弁４０から排水する。
【００５７】
そして、排水制御部３６は、浴槽４の循環口から風呂往き管１５を介して浴槽水と風呂熱回収用熱交換器２２内の水を排水し続け、少なくとも浴槽４の循環口と接続されている風呂往き管１５の位置よりも浴槽４の水位が下になり、浴槽水を風呂往き管１５へと循環させられなくなり、水位が検知できなくなり（Ｓ２９がＹｅｓ）、その後、所定排水時間（ここでは２分）経過したことを確認すると（Ｓ３０がＹｅｓ）、風呂循環ポンプ１６を停止させ（Ｓ３１）、排水弁４０を閉じ（Ｓ３２）、回収三方弁２４を熱交換器側に閉、回収バイパス路２３側を開とし（Ｓ３３）、風呂熱回収用熱交換器２２の排水運転を終了する（Ｓ３４）。
【００５８】
このように、排水運転時、排水制御部３６は、風呂循環ポンプ１６と排水弁４０を用いて、風呂熱回収用熱交換器２２内の残水と風呂往き管１５よりも上の浴槽水を排水する排水運転が可能である。
【００５９】
なお、本発明は本実施形態に限定されるものではなく、要旨を変更しない範囲で改変する事を妨げるものではなく、例えば、風呂配管洗浄運転や残湯熱回収運転や排水運転の開始の指示は使用者がリモコン３に備えた各種運転スイッチを操作して運転開始していたが、制御装置３１に各運転制御手段を設け、日々の運転状況を学習して適宜運転を切り替えるようにしても良い。
【００６０】
また、本実施形態で説明した吸気弁と閉止弁の二つの性能をもつ吸気三方弁３９だが、吸気弁と閉止弁のそれぞれ二つの器具を別体として用いたものでも良い。
【符号の説明】
【００６１】
１    貯湯タンク
２    ヒートポンプユニット（加熱手段）
４    浴槽
１４  風呂用熱交換器
１５  風呂往き管
１６  風呂循環ポンプ
１７  風呂戻り管
１８  風呂循環回路
１９  風呂温度センサ
２０  風呂バイパス路
２１  風呂三方弁
２２  風呂熱回収用熱交換器
２３  回収バイパス路
２４  回収三方弁
３１  制御装置
３６  排水制御部
３９  吸気三方弁
４０  排水弁
【図１】
2019200024.tif 000003
【図２】
2019200024.tif 000004
【図３】
2019200024.tif 000005
【図４】
2019200024.tif 000006
【図５】
2019200024.tif 000007
【図６】
2019200024.tif 000008
【図７】
2019200024.tif 000009
【図８】
2019200024.tif 000010